(57)【要約】【課題】配線コストを低減する空調システムを提供することを目的としている。【解決手段】コントローラ５００及び室外機１５０との間でデータを送受信する第１の通信手段１０１、第１の通信手段１０１との間でデータを送受信する第２の通信手段１０２を備え、コントローラ５００から第１の通信手段１０１を介して空調制御コマンドＢを受信すると、空調制御コマンドＢに基づいて空調制御を行う室内機１００と、空調対象空間１の環境状態を示すセンサー情報Ａを無線で収集し、センサー情報Ａを第２の通信手段１０２に送信する無線アダプタ２００と、を備えている。【選択図】図１
2012021697.tif 000002
【特許請求の範囲】
【請求項１】
コントローラ及び室外機との間でデータを送受信する第１の通信手段、前記第１の通信手段との間でデータを送受信する第２の通信手段を備え、前記コントローラから前記第１の通信手段を介して空調制御コマンドを受信すると、前記空調制御コマンドに基づいて空調制御を行う室内機と、
空調対象空間の環境状態を示すセンサー情報を無線で収集し、前記センサー情報を前記第２の通信手段に送信する無線アダプタと、
を備え、
前記室内機は、前記第２の通信手段が受信したセンサー情報を、前記第１の通信手段を介して前記コントローラに送信し、
前記コントローラは、前記センサー情報を受信すると、前記センサー情報に対応した空調制御コマンドを前記第１の通信手段に送信する
ことを特徴とする空調システム。  
【請求項２】
前記第２通信手段及び前記無線アダプタは、業界標準インターフェースを備えている
ことを特徴とする請求項１に記載の空調システム。
【請求項３】
前記第１通信手段は、前記センサー情報及び前記空調制御コマンドの優先順位を決定し、前記優先順位の高いものから送信する
ことを特徴とする請求項１又は２に記載の空調システム。
【請求項４】
前記センサー情報は、環境状態を検知するセンサーを特定するセンサー種別情報及びそのセンサーが検知した値であるセンサー値情報を有し、
前記第１通信手段が、前記センサー種別情報又はセンサー値情報に基づいて優先順位を決定し、前記優先順位の高いものから送信する
ことを特徴とする請求項３に記載の空調システム。
【発明の詳細な説明】
【技術分野】
【０００１】
本発明は、空調システムに関し、特に、空調システムの電気的な接続を改良したものである。
【背景技術】
【０００２】
空調システムとして、室内に１台あるいは１群の局所空調装置（室内機）が各階ごとに設けられているものが知られている。このような局所空調装置は、冷媒配管を介して中央熱源機器（室外機）と接続され、室内に暖気（又は冷気）を供給するようになっている。また、このような空調システムでは、各階には各種センサーが設けられ、これらのセンサーの情報が各階に設けられているアクセスポイント（無線基地局）に出力されるようになっている。そして、これらのアクセスポイントは、センサー情報を１箇所に集めるため、例えばビル監視制御装置等に配線を介して電気的に接続されている。
【０００３】
そのようなものとして、例えば、局所空調装置と、各種センサー（温度センサー、湿度センサー、位置情報センサー、ＣＯ2 センサー）部と、アクセスポイント（無線基地局）と、中央熱源機器と、ビル監視制御装置と、を有している空調システムが提案されている（例えば、特許文献１参照）。なお、局所空調装置は、中央熱源機器から供給される冷媒の熱（又は冷熱）を暖気（又は冷気）として放出する装置であり、各階に設けられている。また、ビル監視制御装置は、各階のセンサーのセンサー値に基づいて、各階ごとの環境状態分布（温度分布、湿度分布、ＣＯ2 濃度分布）を作成し、この環境状態分布に基づいて中央熱源機器を動作させるものである。
【０００４】
この空調システムは、各階に設けられている各種センサーのセンサー情報を、同階のアクセスポイントに出力させるようになっている。そして、アクセスポイントとビル監視制御装置は、配線で電気的に接続されており、センサー情報がビル監視制御装置に集められるようになっている。
【０００５】
また、室内機又はリモコン（リモートコントローラ）に、室内環境（温度、湿度、ガス濃度等）を検出するセンサーが設けられており、その検出値に基づいて、室内機を制御するという空調システムが知られている。しかし、「快適さ」、「省エネルギー」といったユーザーからの要望にさらに応じるには、室内環境を検出する位置として室内機またはリモコンだけでは、十分ではなかった。
【０００６】
それを受けて、室内機と、リモコンと、センサーステーションと、を有している空調システムが提案されている（例えば、特許文献２参照）。なお、センサーステーションは、室内環境（温度、湿度又はガス濃度等）を検出するセンサー、それらのセンサーのセンサー値を受ける制御回路、室内機にセンサー値を送信する送信回路が少なくとも設けられている。この空調システムは、センサーステーションが空調空間の任意の位置に設置可能になっている。したがって室内機及びリモコンだけでなく、センサーステーションにおいても、室内環境を検出することができ、ユーザーからの要望に幅広く対応できるようになっている。
【先行技術文献】
【特許文献】
【０００７】
【特許文献１】特開２００２−１３７８８号公報（５〜７頁、第１図）
【特許文献２】特開２００８−７５９７３号公報（１４頁、第１６図）
【発明の概要】
【発明が解決しようとする課題】
【０００８】
特許文献１に記載の技術では、各階に設けられている局所空調装置とビル監視制御装置とを配線で接続する以外に、当該配線とは別の配線でビル監視制御装置とアクセスポイントを接続しなければならず、その分コストアップになってしまっていた。
【０００９】
特許文献２に記載の技術では、室内機本体内に、特定の無線の通信規格及び周波数に対応した通信回路を設けており、その無線の通信規格及び周波数に対応しないセンサーを室内に追加して設置した場合、別途その通信規格及び周波数に対応した室内機を設けなければならず、管理しにくくなってしまっていた。また、室内機本体内に、様々な無線の通信規格及び周波数に対応した高機能な通信回路を設けると、コストアップになってしまっていた。
【００１０】
本発明は、以上のような課題を解決するためになされたもので、配線コストを低減する空調システムを提供することを目的としている。
【課題を解決するための手段】
【００１１】
本発明に係る空調システムは、コントローラ及び室外機との間でデータを送受信する第１の通信手段、第１の通信手段との間でデータを送受信する第２の通信手段を備え、コントローラから第１の通信手段を介して空調制御コマンドを受信すると、空調制御コマンドに基づいて空調制御を行う室内機と、空調対象空間の環境状態を示すセンサー情報を無線で収集し、センサー情報を第２の通信手段に送信する無線アダプタと、を備え、室内機は、第２の通信手段が受信したセンサー情報を、第１の通信手段を介してコントローラに送信し、コントローラは、センサー情報を受信すると、センサー情報に対応した空調制御コマンドを第１の通信手段に送信する。
【発明の効果】
【００１２】
本発明に係る空調システムによれば、検知部、無線アダプタ、第２の通信手段、第１の通信手段及びコントローラが直列に接続されているので、配線コストを低減することができる。
【図面の簡単な説明】
【００１３】
【図１】本空調システムの概要構成図である。
【図２】図１に示す空調システム７００の無線通信のセンサー情報形式例及びセンサー種別コードを説明するものである。
【図３】図１に示す空調システムの第１の通信手段の通信優先順位例を説明するものである。
【図４】図１に示す空調システムのコントローラの制御信号情報を説明するものである。
【発明を実施するための形態】
【００１４】
以下、本発明の実施の形態を図面に基づいて説明する。
図１は、本空調システム７００の概要構成図である。なお、図１を含め、以下の図面では各構成部材の大きさの関係が実際のものとは異なる場合がある。
【００１５】
図１に示すように、空調システム７００は、室内機１００、室外機１５０、無線アダプタ２００、検知部４００、コントローラ５００、空調ネットワーク６００及びセンサーネットワーク６５０を有している。なお、図１には、空調対象空間１を併せて図示している。  
【００１６】
空調システム７００は、空調対象空間１を空調対象として設置された室内機１００及び室内機１００に熱源を供給する室外機１５０を制御し、空調対象空間１に空調空気を供給するものである。つまり、空調システム７００は、コントローラ５００からの空調制御コマンド情報Ｂに基づいて、室内機の運転及び冷媒回路を循環している冷媒の温度、圧力を変化させて、空調対象空間１の空気調和を行うものである。なお、図１では、室内機１００、室外機１５０がそれぞれ１台ずつ備えられているものとして説明するが、室内機１００、室外機１５０の台数は限定されるものではない。また、室内機１００は、空調対象空間１に空調空気を供給できる場所に配置され、室外機１５０は、室外（例えば、屋上、地下等）に配置される。
【００１７】
［冷媒回路構成］
まず、空調システム７００の冷媒回路構成について説明する。
室内機１００は、室内熱交換器２及び室内機送風機３を少なくとも有している。  
【００１８】
室内熱交換器２は、例えば伝熱管と多数のフィンとにより構成されるクロスフィン式のフィン・アンド・チューブ型熱交換器で構成するとよい。また、冷房運転時において、室内熱交換器２は、蒸発器として機能して空気（又は、水やブラインなどの熱媒体）を冷却し、暖房運転時において、凝縮器（放熱器）として機能して空気を加温する。
【００１９】
室内機送風機３は、室内熱交換器２に付設され、室内熱交換器２に供給する空気の流量を可変することが可能なファン等からなる。この室内機送風機３は、室内機１００内に室内空気を吸入し、室内熱交換器２により冷媒との間で熱交換した空気を空調空気として空調対象空間１内に供給する。
【００２０】
室外機１５０は、圧縮機６、室外熱交換器８、室外機送風機９及び絞り装置１０を少なくとも有している。
【００２１】
圧縮機６は、運転容量を可変することが可能であり、例えばインバータにより制御されるモータ（図示せず）によって駆動される容積式圧縮機を用いる。この圧縮機６は、室外機制御手段１１に制御される。
【００２２】
室外熱交換器８は、例えば伝熱管と多数のフィンとにより構成されるクロスフィン式のフィン・アンド・チューブ型熱交換器で構成するとよい。また、室外熱交換器８は、冷房運転時において、凝縮器（放熱器）として機能して空気（又は、水やブラインなどの熱媒体）に放熱し、暖房運転時において、蒸発器として機能して空気を冷却している。
【００２３】
室外機送風機９は、室外熱交換器８に付設され、室外熱交換器８に供給する空気の流量を可変することが可能なファン等からなる。この室外機送風機９は、室外機１５０内に室外空気を吸入し、室外熱交換器８により冷媒との間で熱交換した空気を室外に排出する。
【００２４】
絞り装置１０は、室外熱交換器８と室内熱交換器２の間に配置されている。この絞り装置１０は、絞り開度が可変であり、冷媒回路内を流れる冷媒の流量の調節等を行う。
【００２５】
そして、図１に示すように、圧縮機６、室外熱交換器８、絞り装置１０及び室内熱交換器２とは、この順番で環状に冷媒配管６０で接続され、冷媒回路を構成している。したがって、空調システム７００は、冷媒回路に冷媒を循環させることで冷暖房を行うことができるようになっている。
【００２６】
［電気的な構成］
次に、空調システム７００の電気的な構成について説明する。
室内機１００は、第１の通信手段１０１、第２の通信手段１０２及び室内機制御手段１０３を有している。また、第１の通信手段１０１と第２の通信手段１０２は第１配線Ｊ１で、第１の通信手段１０１と室内機制御手段１０３は第２配線Ｊ２で、それぞれ接続されている。
【００２７】
第１の通信手段１０１は、コントローラ５００に、空調ネットワーク６００を介して接続されている。第１の通信手段１０１は、センサー情報Ａをコントローラ５００に、空調制御コマンド情報Ｂを室内機制御手段１０３に、送信する。
【００２８】
また、第１の通信手段１０１は、室内機制御状態情報Ｄを、室内機制御手段１０３から受信し、当該室内機制御状態情報Ｄをコントローラ５００に送信する。
【００２９】
さらに、第１の通信手段１０１は、空調制御コマンド情報Ｂに基づいて、室外機通信手段１２に、圧縮機６及び室外機送風機９の制御情報を含んだ室外機制御情報Ｅを送信する。
【００３０】
第２の通信手段１０２は、無線アダプタ２００に、アダプタインターフェース３００を介して接続されており、センサー情報Ａを受信する。また、第２の通信手段１０２は、第１の通信手段１０１に第１配線Ｊ１を介して接続されており、第１の通信手段１０１にセンサー情報Ａを送信する。なお、空調システム７００のセンサー情報Ａは、火災センサー情報Ａ１、漏水センサー情報Ａ２及び温度センサー情報Ａ３の内、少なくとも１つを含んだものをいう。
【００３１】
室内機制御手段１０３は、第１の通信手段１０１に、第２配線Ｊ２を介して接続されており、第１の通信手段１０１から空調制御コマンド情報Ｂを受信し、また、第１の通信手段１０１に室内機制御状態情報Ｄを送信する。また、室内機制御手段１０３は、少なくとも室内機送風機３を制御することが可能となっている。
【００３２】
室外機１５０は、室外機制御手段１１及び室外機通信手段１２を有している。また、室外機制御手段１１と室外機通信手段１２は、第３配線Ｊ３で接続されている。
【００３３】
室外機通信手段１２は、第１の通信手段１０１から送信される室外機制御情報Ｅを受信し、また、室外機制御手段１１に当該室外機制御情報Ｅを送信するものである。
【００３４】
室外機制御手段１１は、室外機通信手段１２から受信した室外機制御情報Ｅに基づいて、圧縮機６及び室外機送風機９を制御するものである。  
【００３５】
無線アダプタ２００は、無線により検知部４００と接続されており、検知部４００からセンサー情報Ａを受信する。また、無線アダプタ２００は、アダプタインターフェース３００を介して、第２の通信手段１０２と接続されており、第２の通信手段１０２にセンサー情報Ａを送信する。
【００３６】
検知部４００は、少なくとも火災センサー部４０１、温度センサー部４０３及び漏水センサー部４０２から構成されている。検知部４００は、各センサー（火災センサー４０１ａ、漏水センサー４０２ａ、温度センサー４０３ａ）のセンサー情報Ａを無線アダプタ２００に送信する。なお、火災センサー部４０１、温度センサー部４０３及び漏水センサー部４０２は、別体であるものとして説明するが、一体でもよい。また、火災センサー部４０１、温度センサー部４０３及び漏水センサー部４０２が空調対象空間１に設けられる数は、特に、限定されない。
【００３７】
火災センサー部４０１は、火災センサー４０１ａ（火災をセンシングする方式は、特に限定されないものとする）と火災センサー通信部４０１ｂを少なくとも有している。火災センサー通信部４０１ｂは、火災センサー４０１ａの火災センサー情報Ａ１を受け取り、無線アダプタ２００に、当該火災センサー情報Ａ１を無線で送信するものである。
【００３８】
温度センサー部４０３は、温度センサー４０３ａ（温度をセンシングする方式は、特に、限定されないものとする）と温度センサー通信部４０３ｂを少なくとも有している。温度センサー通信部４０３ｂは、温度センサー４０３ａの温度センサー情報Ａ３を受け取り、無線アダプタ２００に、当該温度センサー情報Ａ３を無線で送信するものである。
【００３９】
漏水センサー部４０２は、漏水センサー４０２ａ（漏水をセンシングする方式は、特に、限定されないものとする）と温度センサー通信部４０３ｂを少なくとも有している。漏水センサー通信部４０２ｂは、漏水センサー４０２ａの温度センサー情報Ａ３を受け取り、無線アダプタ２００に、当該温度センサー情報Ａ３を無線で送信するものである。
【００４０】
コントローラ５００は、少なくとも室外機通信手段１２及び第１の通信手段１０１に、空調ネットワーク６００を介して、接続されている。コントローラ５００は、第１の通信手段１０１からセンサー情報Ａを受信したり、第１の通信手段１０１に空調制御コマンド情報Ｂを送信したりするようになっている。
【００４１】
空調ネットワーク６００は、室内機１００、室外機１５０及びコントローラ５００とを配線で電気的に接続して形成される配線網（通信網）である。
【００４２】
また、検知部４００と無線アダプタ２００を無線で通信し、無線アダプタ２００と第２の通信手段１０２をアダプタインターフェース３００で接続して形成される通信網をセンサーネットワーク６５０と定義する。
【００４３】
まず、空調ネットワーク６００を介した空調システム７００の通信について説明する。
第１の通信手段１０１は、コントローラ５００に入力された空調制御コマンド情報Ｂを、空調ネットワーク６００を介して受信する。この空調制御コマンド情報Ｂは、さらに第１の通信手段１０１から室内機制御手段１０３に送信される。また、第１の通信手段１０１は、室内機制御手段１０３から受信した室内機制御状態情報Ｄ及び第２の通信手段１０２から受信したセンサー情報Ａをコントローラ５００に、空調ネットワーク６００を介して送信する。
【００４４】
コントローラ５００は、空調制御コマンド情報Ｂを、室外機通信手段１２に、空調ネットワーク６００を介して送信する。この空調制御コマンド情報Ｂは、さらに室外機通信手段１２から室外機制御手段１１に送信される。
【００４５】
次に、センサーネットワーク６５０の通信について説明する。
第２の通信手段１０２は、センサーネットワーク６５０の通信制御を行う。具体的には、検知部４００から送信されたセンサー情報Ａは、無線アダプタ２００に受信され、無線アダプタ２００から、アダプタインターフェース３００を介して、第２の通信手段１０２に送信されるようになっている。
【００４６】
なお、アダプタインターフェース３００には、ＪＥＭ−Ｓのシリアル通信制御を採用しているものとする。つまり、無線アダプタ２００から第２の通信手段１０２に、センサー情報Ａをシリアル通信方式で送信することが可能となっている。なお、ＪＥＭ−Ｓとは、（社団法人）日本電気工業会が「工業会規格ＪＥＭ１４６２でシリアルＨＡ端子」として定めた、ホームオートメーション用、業界標準規格のシリアル通信方式のことである。
【００４７】
［通信動作］
次に、空調システム７００の動作について説明する。
図２は、図１に示す空調システム７００の無線通信のセンサー情報形式例及びセンサー種別コードを説明するものである。図２に示すように、検知部４００から送信されるセンサー情報Ａの形式は、少なくともセンサーＩＤ、センサー種別、センサー値を有している。
【００４８】
センサーＩＤは、各検知部４００に付与されるものである。仮に、空調対象空間１に、火災センサー部４０１、漏水センサー部４０２、温度センサー部４０３、温度センサー部４０４（図示省略）及び温度センサー部４０５（図示省略）の計５個の検知部４００が設けられている場合には、それぞれに異なったセンサーＩＤが付与されるということである。
【００４９】
なお、図２に示すように、火災センサー部４０１のセンサーＩＤ４０１、漏水センサー部４０２のセンサーＩＤ４０２、温度センサー部４０３のセンサーＩＤ４０３、温度センサー部４０４のセンサーＩＤ４０４、温度センサー部４０５のセンサーＩＤ４０５であるものとして説明する。
【００５０】
センサー種別は、検知部４００の種類を識別するものである。つまり、ＩＤ４０３〜ＩＤ４０５のデータ種別が同じ種類のセンサーを表し、ＩＤ４０１、ＩＤ４０２がＩＤ４０３〜ＩＤ４０５とは異なる種類のセンサーを表しているということになる。
【００５１】
例えば、ＩＤ４０１のセンサー種別が１０、ＩＤ４０２のセンサー種別が２０、ＩＤ４０３〜ＩＤ４０５のセンサー種別が３０として説明する。
【００５２】
センサー値は、検知部４００の各センサー（火災センサー４０１ａ、漏水センサー４０２ａ、温度センサー４０３ａ〜４０５ａ）のセンシング結果（図２の備考参照）を表すものである。例えば、火災センサー４０１ａが、火災をセンシングした場合のコードを１とし、火災をセンシングしていない場合のコードを０とする。また、漏水センサー４０２ａが、漏水をセンシングした場合のコードを１とし、漏水をセンシングしていない場合のコードを０とする。また、温度センサー４０３ａが、室内の気温を３０度とセンシングした場合のコードを３０とする。なお、上記したセンサーＩＤ、センサー種別及びセンサー値は、各センサーが出力する電気信号を、コード（数値）として表現したものである。
【００５３】
例えば、図２に示すように、火災センサー４０１ａが、火災をセンシングした場合には、「センサーＩＤ、センサー種別、センサー値」がそれぞれ「４０１、１０、１」となる。従って、火災センサー通信部４０１ｂは、この「４０１、１０、１」の内容に相当する火災センサー情報Ａ１を、無線で無線アダプタ２００に送信し、当該無線を無線アダプタ２００が受信するようになっている。
【００５４】
その後、無線アダプタ２００は、当該火災センサー情報Ａ１を、アダプタインターフェース３００を介して、第２の通信手段１０２に送信する。さらに、第２の通信手段１０２は、当該火災センサー情報Ａ１を第１の通信手段１０１に送信する。
【００５５】
［通信優先順位］
図３は、図１に示す空調システム７００の第１の通信手段１０１の通信優先順位例を説明するものである。第１の通信手段１０１は、人や財産に危害を及ぼすように緊急度の高い情報ほど優先順位を高く処理するようになっている。
【００５６】
第１の通信手段１０１は、第２の通信手段１０２から受信したセンサー情報Ａに基づいて、送信するセンサー情報Ａ及び室内機制御状態情報Ｄの送信優先順位を決定する「送信優先順位処理」をする機能を有しており、優先順位の高い情報からコントローラ５００へ送信するようになっている。
【００５７】
図３に示すように、第１の通信手段１０１は、例えばセンサー種別を一番優先して識別する。そして、第１の通信手段１０１が少なくとも火災センサー情報Ａ１を有する情報を送信優先順位処理している場合は、この火災センサー情報Ａ１をコントローラ５００に送信する。なお、火災センサー情報Ａ１が火災をセンシングした情報であってもなくても一番優先されるものとする。
【００５８】
また、例えば、第１の通信手段１０１が、漏水センサー情報Ａ２、温度センサー情報Ａ３及び室内機制御状態情報Ｄを受信している状態の時に、後から、火災センサー情報Ａ１が送信されてきた場合にも、火災センサー情報Ａ１を最優先して、コントローラ５００に送信する。なお、図３に示す、各種情報の優先順位は、あくまで一例である。
【００５９】
第１の通信手段１０１が、２番目に優先する情報は、温度センサー４０３ａが空調対象空間１の温度が５０度以上であることを示す温度センサー情報Ａ３である。第１の通信手段１０１が、火災センサー情報Ａ１を有さず、且つ、空調対象空間の温度が５０度以上であることを示す温度センサー情報Ａ３から少なくとも構成される情報を送信優先順位処理している場合は、当該温度センサー情報Ａ３をコントローラ５００に送信する。
【００６０】
第１の通信手段１０１が、３番目に優先する情報は、漏水センサー４０２ａが空調対象空間１で漏水をセンシングした漏水センサー情報Ａ２である。第１の通信手段１０１が、火災センサー情報Ａ１及び空調対象空間の温度が５０度以上であることを示す温度センサー情報Ａ３を有さず、漏水をセンシングした漏水センサー情報Ａ２を有する情報を送信優先順位処理している場合は、当該温度センサー情報Ａ３をコントローラ５００に送信する。
【００６１】
第１の通信手段１０１は、火災センサー情報Ａ１、空調対象空間の温度が５０度以上であることを示す温度センサー情報Ａ３及び空調対象空間１で漏水をセンシングした漏水センサー情報Ａ２が送信優先順位処理中でなければ、室内機制御状態情報Ｄを室内機制御手段１０３に送信する。
【００６２】
［コントローラ５００の制御信号情報］    
図４は、図１に示す空調システム７００のコントローラ５００の制御信号情報を説明するものである。コントローラ５００は、センサーＩＤが４０１、センサー種別が１０、センサー値が１、であるセンサー情報Ａを、第１の通信手段１０１から受信した場合には、コントローラ５００が、室内機送風機３を停止する情報を含んだ室内機制御状態情報Ｄを空調制御コマンド情報Ｂとして空調ネットワーク６００に送信する。なお、室内機１００のＩＤのコードは１００であるものとして説明する（室内機が複数台設けられている空調システムにおいては、それぞれの室内機に異なったＩＤを付与すればよい）。
【００６３】
室内機送風機３を停止する情報を含んだ室内機制御状態情報Ｄが、空調ネットワーク６００、第１の通信手段１０１を介して室内機制御手段１０３に送信されて、室内機制御手段１０３は、室内機送風機３を停止するように制御する。
【００６４】
コントローラ５００は、センサーＩＤが４０３、センサー種別が２０、センサー値が室内温度が５０度以上、である情報を、第１の通信手段１０１から受信した場合には、コントローラ５００が、室内機送風機３を停止する情報を含んだ空調制御コマンド情報Ｂを空調ネットワーク６００に送信する。
【００６５】
室内機送風機３を停止する情報を含んだ室内機制御状態情報Ｄが、空調ネットワーク６００、第１の通信手段１０１を介して室内機制御手段１０３に送信されて、室内機制御手段１０３は、室内機送風機３を停止するように制御する。
【００６６】
コントローラ５００は、センサーＩＤが４０２、センサー種別が３０、センサー値が１、である情報を、第１の通信手段１０１から受信した場合には、コントローラ５００は、室内機送風機３を停止する情報を含んだ空調制御コマンド情報Ｂを空調ネットワーク６００に送信する。
【００６７】
室内機送風機３を停止する情報を含んだ室内機制御状態情報Ｄが、空調ネットワーク６００、第１の通信手段１０１を介して室内機制御手段１０３に送信されて、室内機制御手段１０３は、室内機送風機３を停止するように制御する。
【００６８】
コントローラ５００の空調対象空間１の設定温度がユーザーによって２７度と設定されている時に、コントローラ５００が、センサーＩＤが４０４、センサー種別が２０、センサー値が室内温度が３０度以上、であるセンサー情報Ａ及び室内機送風機３の運転状態に関する情報を含んだ室内機制御状態情報Ｄを、第１の通信手段１０１から受信している時には、コントローラ５００は、室内機送風機３の制御内容を含んだ空調制御コマンド情報Ｂを第１の通信手段に送信する。
【００６９】
これを受けて、第１の通信手段１０１は、室内機制御手段１０３に、空調制御コマンド情報Ｂを送信する。室内機送風機３の制御内容を含んだ空調制御コマンド情報Ｂを受信した室内機制御手段１０３は、室内機送風機３のモーター（図示省略）を制御する。
【００７０】
また、第１の通信手段１０１は、室外機通信手段１２に、室外機制御情報Ｅを送信する。室外機送風機９及び圧縮機６の制御内容を含んだ室外機制御情報Ｅを受信した室外機通信手段１２は、室外機制御手段１１に当該室外機制御情報Ｅを送信し、室外機制御手段１１は、圧縮機６を制御する。
【００７１】
［空調システム７００の有する効果］  
空調システム７００は、検知部４００、無線アダプタ２００、第１の通信手段１０１、第２の通信手段１０２、空調ネットワーク６００、コントローラ５００を、直列に配線又は無線で接続したものである。
【００７２】
つまり、空調システム７００は、同じ空調対象空間１に設けられている無線アダプタ２００と室内機１００をアダプタインターフェース３００を介して接続し、センサー情報Ａをコントローラ５００に空調ネットワーク６００を介して送信し、センサー情報Ａを受け取ったコントローラ５００は、空調制御コマンド情報Ｂを室内機１００に送信するようになっている。
【００７３】
しかし、仮に、空調システム７００が、無線アダプタ２００とコントローラ５００とを空調ネットワーク６００と異なる「センサー専用の配線」で接続し、無線アダプタ２００からセンサー情報Ａを当該「センサー専用の配線」でコントローラ５００に送信し、空調制御コマンド情報Ｂを空調ネットワーク６００を介して室内機１００に送信するような構成になっていると、当該「センサー専用の配線」の分だけコストアップしてしまう。
【００７４】
具体的には、無線アダプタ２００とコントローラ５００とを当該「センサー専用の配線」で接続するにあたり、例えば壁などで仕切られた空間に穴をあける等といった工事をして、引き回さなければならないので、配線コスト（配線を引き回す工事のコストを含む）がかかってしまう。しかし、空調システム７００は、無線アダプタ２００と室内機１００は同じ空調対象空間１に設けられているので、アダプタインターフェース３００の配線長は短く工事も容易であるので、当該「センサー専用の配線」を設ける空調システムより、配線コストを削減することができる。
【００７５】
さらに、空調システム７００は、第２の通信手段１０２と無線アダプタ２００の通信手段が、ＪＥＭ−Ｓ方式であるので、１種類の室内機１００に対して多種の汎用センサーを接続できるようになっている。
【００７６】
また、第１の通信手段１０１が、センサー情報Ａ及び空調制御コマンド情報Ｂに優先順位を決定し、優先順位の高い情報から送信するので、空調システム７００に、各センサー部とコントローラ５００を直接接続する必要がないことは言うまでもない。
【符号の説明】
【００７７】
１  空調対象空間、２  室内熱交換器、３  室内機送風機、６  圧縮機、８  室外熱交換器、９  室外機送風機、１０  絞り装置、１１  室外機制御手段、１２  室外機通信手段、５０  空調対象空間外、６０  冷媒配管、１００  室内機  １０１  第１の通信手段、１０２  第２の通信手段、１０３  室内機制御手段、１５０  室外機、２００  無線アダプタ、３００  アダプタインターフェース、４００  検知部、４０１  火災センサー部、４０１ａ  火災センサー、４０１ｂ  火災センサー通信部、４０２  漏水センサー部、４０２ａ  漏水センサー、４０２ｂ  漏水センサー通信部、４０３  温度センサー部、４０３ａ  温度センサー、４０３ｂ  温度センサー通信部、４０４  温度センサー部、４０５  温度センサー部、５００  コントローラ、６００  空調ネットワーク、６５０  センサーネットワーク、７００  空調システム、Ａ  センサー情報、Ａ１  火災センサー情報、Ａ２  漏水センサー情報、Ａ３  温度センサー情報、Ｂ  空調制御コマンド情報、Ｄ  室内機制御状態情報、Ｅ  室外機制御情報、Ｊ１  第１配線、Ｊ２  第２配線、Ｊ３  第３配線。  
【図１】
2012021697.tif 000003
【図２】
2012021697.tif 000004
【図３】
2012021697.tif 000005
【図４】
2012021697.tif 000006